(57)【要約】      （修正有）【課題】搬送装置により連続して検出装置に送り込まれる供試発光ダイオード等の発光量をソーラーパネルを利用し自動的に計測して、発光ダイオード等の良否判定をおこなう安価な検査装置を提供する。【解決手段】検査装置には複数個の発光体組合せ体２１等を収納しそれを発光させる支持台と複数個の被検査発光体組合せ体バッチ給送／送力支持台を有する輸送装置２２とソーラーパネル２０２等が含まれ、且つソーラーパネルに支持台向けの作用面を設ける。さらに、ソーラーパネルに照射した光エネルギーを電気エネルギーに転換させ、且つソーラーパネルと支持台の距離がソーラーパネルに照射される光エネルギーを作用面以外の個所に照射される光エネルギーよりはるかに大きくする装置と、ソーラーパネルから光エネルギーを受け取って電気エネルギー転換させる処理装置とにより構成する。【選択図】図２
0003155989.tif 000002
【実用新案登録請求の範囲】
【請求項１】
一つの複数個の被検査発光体組合せ体を収納し、上記発光体組合せ体を各々発光させるための支持台と、複数個一組みの被検査発光体組合せ体をバッチ給送／送出する該支持台の輸送装置と、少なくとも１枚のソーラーパネルを有するソーラーバッテリーが含まれ、且つこの少なくとも一枚のソーラーパネルに一つの作用面があり、この少なくとも一枚のソーラーパネルの作用面がこの支持台に対し、ソーラーパネルに照射された光エネルギーを電気エネルギーに転換させ、且つこの少なくとも１枚のソーラーパネルとこの支持台の距離が上記被検査発光体組合せ体が発光するとき、この少なくとも１枚のソーラーパネルに照射された光エネルギーをこのソーラーパネル作用面以外の光エネルギーよりはるかに大きくする装置と前記ソーラーバッテリーから受け取る電気エネルギーの処理装置とが含まれることを特徴とするソーラーバッテリー発光体組合せ体のバッチ式検査装置。
【請求項２】
前記少なくとも１枚のソーラーパネルは一つの波長呼応関数を有し、且つ、前記ソーラーバッテリーには前記少なくとも１枚のソーラーパネルの作用面側に設置され且つ前記波長呼応関数をかけた後標準視効関数に対応する透過関数を有する色ろ過フィルター組合せ体が含まれることを特徴とする請求項１の検査装置。
【請求項３】
前記ソーラーバッテリーに各々前記支持台に対し、ともに前記支持台を包囲するソーラーパネルを備える複数の作用面が含まれることを特徴とする請求項１又は２の検査装置。
【請求項４】
前記ソーラーバッテリーに一つのシェルと該シェルの一側面に設置された少なくとも１枚のソーラーパネルと前記シェルに形成され該ソーラーパネルを設置していない少なくとも一つの反射面を備えたことを特徴とする請求項１又は２の検査装置。
【請求項５】
前記被検査発光体組合せ体が発光ダイオード結晶粒であり、且つ前記支持台には複数同期して前記発光ダイオード結晶粒に接触する探針が含まれていることを特徴とする請求項１又は２の検査装置。
【請求項６】
前記被検査発光体組合せ体が発光ダイオード組合せ体であり、且つ、前記輸送装置は一面の輸送ベルトと、該輸送ベルトに搬送され且つ前記支持台と電気連接され且つ前記発光ダイオード組合せ体を担持する複数のシートとを含むことを特徴とする請求項１又は２の検査装置。
【請求項７】
前記被検査発光体組み合わせたいがそれに複数個の区画に隔たれ、各区画が電気的に独立し、且つ各々複数個の発光ダイオード結晶粒を備えた複数個の光棒を備え、且つ、前記支持台には複数個の前記区画と各々電気連接された導入部が含まれることを特徴とする請求項１又は２の検査装置。
【考案の詳細な説明】
【技術分野】
【０００１】
本実用新案は検査装置に関し、とりわけ、ソーラーバッテリーの発光体組合せ体のバッチ式検査装置に関する。
【背景技術】
【０００２】
発光体組合せ体の全光通量を取得するため、当業界では常に積分球で発光体組合せ体がエネルギーを受けた後の光エネルギーを収集し、それから発光体組合せ体の全光通量値を分析し求めていた。量の測定環境は図１に示すとおりであり、積分球１１は光ファイバー１４を通して光スペクトルエネルギーアナライザー１５に繋がれ、積分球１１内部には一つの遮蔽板１３が含まれ、被検査ＬＥＤ１２は積分球１１の入力部Ａ′に位置し、入力部Ａ′の大小は入力部断面積Ａ"に等しく、 積分球１１は入力部Ａ′の他の一端に出力部Ｂ′を備えており、出力部Ｂ′の大小は出力部切断面積Ｂ"に等しい。
【０００３】
被検査ＬＥＤ１２にエネルギーによって点灯されると、光エネルギーは入力部Ａ′から積分球１１に入り、また積分球１１の内表面により屈折されて、光エネルギーは出力部Ｂ′に収集出力される。即ち、光ファイバー１４によって光スペクトルエネルギーアナライザー１５に伝達され、標準光源と同等な環境量測対比を経て被検査ＬＥＤ１２の全光通量を得ることができる。この検出モードは指向性のある光源に比較的好適合である。
【０００４】
積分球１１の大小よって、その設置が制限され、通常は実験室に限られて企画され、それに被検査光源を引き続き給送／送出し、その後のＬＥＤ量測定操作にも相当時間を費やすし、積分球１１の値段も低くない。以上の状況に照らして、本考案者は、96137543号「ソーラーパネル光受取装置及びこの装置を備えた全光通量検査システム」の発明について特許を出願したが、これは比較的精巧であり、原価も低く、全光通量収集効果も従来より優れた全光通量測定システムの発明についての特許出願であった。
【０００５】
以下その発明の構成について説明する。図２に示すように、光受取装置２０の内側６面にはいずれもソーラーパネル２０２〜２１２が設置され、出力部Ｃは光受取装置２０の出力点であり、測定された被検査光棒２１は輸送装置２２の担持シート２２２に担持されており、切り口２８を通じて順を追って光受取装置２０に入り、検査された被検査光棒２１が担持シート２２２に担持されて点灯されるとき、被検査光棒２１の光エネルギーはソーラーパネル２０２〜２１２に収集される。
【０００６】
光受取装置２０において、被検査光棒２１の光エネルギーは二つのルートを通じて伝送される。その一つは伝送装置２７によって処理器２６に伝送されるルート、もう一つは光ファイバー２４を通過して光スペクトルエネルギーアナライザー２５に伝送され、それから光スペクトルエネルギーアナライザー２５を経て伝送装置２９を通じて処理器２６に伝送されるルートである。処理器２６で二つのルートのデーターを分析して、被検査光棒２１の全光通量値を獲得できる。
【０００７】
図１の積分球システムと比べて、図２の構造はソーラーパネル２０２〜２１２の入手が容易であるばかりでなく、価格も低く、メンテナンスと補修も容易である。被検査光棒２１を順を追って輸送装置２２の放置シート２２２から光受取装置２０に送る動作は検査時間を大幅に省き、光スペクトルエネルギーアナライザー２５と処理器２６を結びつけているから、被検査光棒２１のもっと正確な全光通量値を獲得できる。
【０００８】
この発明のアイディアを基に、考案者は検出速度がもっと速く検査性能がもっと優れており、全光通量検査だけに限られていない検査設備を提供するため、本実用新案の研究発明に着手したが、発光ダイオード類発光体組合せ体のバッチ検査だけてなく、発光ダイオード結晶粒、複数個の発光ダイオード結晶粒光棒のバッチ検査にも適用され、本実用新案の構造を蛍光灯等伝統的光源の検出に応用しても効果を発揮できる装置を提供することを目的としている。
【０００９】
ソーラーバッテリーを利用し、伝送装置を結びつけ、処理装置の分析を通じて被検査発光体組合せ体を検査する検査装置を提供するのは、値段が高く使用に不便な積分球構造を使わず、最低製造原価で必要な検査成果を獲得できるし、全自動化バッチ検出は検査される発光体組合せ体の交換能率をさらに高めるから、一番良い解決案である。
【考案の概要】
【考案が解決しようとする課題】
【００１０】
かくて、本実用新案の目的の一つは、構造が簡単であり、製造原価が低く、検査結果が正しく、ソーラーバッテリーを備えた発光体組合せ体のバッチ検査装置を提供することである。
【００１１】
本実用新案のもう一つの目的は、順を追ってバッチ検査を行い、検査されるのと検査された発光体組合せ体がバッチで置換され、検査能率が従来の検査装置よりはるかに高く、ソーラーバッテリーを備えた発光体組合せ体のバッチ検査装置を提供する。
【００１２】
本実用新案のもう一つの目的は、被検査発光体組合せ体の種類制限が少なく、発光ダイオード等組合せ体に適用されるばかりでなく、伝統的光源のバッチ検査にも適用できるソーラーバッテリーを備えた発光体組合せ体のバッチ検査装置を提供することである。
【００１３】
本実用新案のまた一つの目的は、占用する空間が少なく、使用能率が高く、検査競争力を直接高めることができるソーラーバッテリーを備えた発光体組合せ体のバッチ検査装置を提供することである。
【課題を解決するための手段】
【００１４】
それで、本実用新案はソーラーバッテリーを備えた発光体組合せ体のバッチ検査装置であり、一つの複数個の被検査発光体組合せ体を収納し、上記発光体組合せ体を各々発光させる支持台と一組の複数個の被検査発光体組合せ体をバッチ給送／送出するこの支持台の輸送装置と、少なくとも１枚のソーラーパネルのソーラーバッテリーが含まれ、且つこの少なくとも１枚のソーラーパネルに一つの作用面があり、この少なくとも１枚のソーラーパネルの作用面はこの支持台に対し、ソーラーパネルに照射された光エネルギーを電気エネルギーに転換させ、且つこの少なくとも１枚のソーラーパネルと、この支持台の距離が上記被検査組合せ体が発光するとき、この少なくとも１枚のソーラーパネルに照射された光エネルギーをこのソーラーパネル作用面以外の光エネルギーよりはるかに大きくする装置と、このソーラーバッテリーから受け取って電気エネルギー転換させる処理装置とが含まれている。
【００１５】
本実用新案を通じて、ソーラーバッテリーに設置された反射面とソーラーパネルは被検査光源が支持台からエネルギーを受け取った後に発する光エネルギーを完全に収集する。もし、色フィルターを増やすと、さらに進んで発光体組合せ体のルーメン値を検出でき、またユーザーのニーズに応じ光源の実際発光トータル光通量或いは人の視覚によって感受できる視効輝度を検出できるし、処理装置はバッチ式検査を受ける発光体組合せ体に応じて、検査結果を処理し出力できる。
【図面の簡単な説明】
【００１６】
【図１】図１は公知の積分球量を利用して発光体組合せ体の全光通量を測定する装置の側面図である。
【図２】図２は本考案者のもう一つの特許発明に係る全光通量検出システムの立体図面である。
【図３】図３は本実用新案第一実施例のブロック図である。
【図４】図４は本実用新案第一実施例の一つの立体図である。
【図５】図５は本実用新案第一実施例のもう一つの立体図である。
【図６】図６は本実用新案第二実施例の一つの立体図である。
【図７】図７は本実用新案第二実施例のもう一つの立体図である。
【図８】図８は本実用新案第三実施例の立体図である。
【考案を実施するための形態】
【００１７】
本実用新案の上記内容及びその他の技術内容、特徴と機能について、次の添付図面を参照して比較的好ましい実施例を詳しく説明する。
【００１８】
図３に示す内容は本実用新案の第一実施例のブロック図である。検査装置の構造には検査するときエネルギーを発生し収納する支持台４が含まれ、輸送装置５はバッチ給送・送出される被検査物であり、ソーラーバッテリー６には少なくとも１枚のソーラーパネル６２が含まれ、ソーラーバッテリー６によって受け取られる検出信号は、処理装置７に伝送されてさらに処理と分析が行われる。
【００１９】
本案第１実施例の具体的構造は図４及び図５に示されてとおりであり、その中、被検査発光体組合せ体として発光ダイオード結晶粒８２を例して、発光ダイオード結晶粒８２がウエハー(WAFER)状に段階的に分割され、別々に支持台４に載置され、輸送装置５は本実施例において支持台４の二次元移動支持体になっており、全体のウエハーが切断されて数千ないし数万個の結晶粒８２とされ、これらがバッチ移動させられる。
【００２０】
本実施例においてソーラーバッテリーは１枚のソーラーパネル６２を例にしており、説明の便利を図って、１８０°回転して図示している。ソーラーパネル６２はその作用面６２２を被検査発光ダイオード結晶粒８２に対向しており、作用面６２２には結晶粒８２側に向けて例えば図示される１枚の色フィルター６２４の色フイルターの組合せ体が配置されている。ここで、色フィルター組合せ体の投射関数系とこのソーラーパネルの波長呼応関数をかけた後、標準視効関数に対応し、これによって視覚効果と対応する発光輝度を求め、量測定誤差を縮小させるため、ソーラーパネル６２を検査を受ける発光ダイオード結晶粒８２に近づけ、発光ダイオード結晶粒８２の発光量が主にソーラーパネル６２の作用面である６２２に照射され、且つ、それがソーラーパネル６２作用面である６２２以外に分散する発光量よるはるかに大きくなるようにする。
【００２１】
輸送装置５が全体の結晶粒８２を検査しようとする位置に輸送しようとするときに、一組の複数個の探針４２を含めた探針組合せ体が各々複数個の結晶粒８２に対応するように、探針42はそれから測量位置にまで下がり、複数個の結晶粒８２に同期して接触する。このとき、先ず、ある一つの発光ダイオード結晶粒８２にエネルギーを与え、この発光ダイオード結晶粒８２を点灯させる。被検査結晶粒８２が出した光束は色フィルター６２４を透過して作用面６２２に入射し、ソーラーパネル６２が光電転換を行い、得られた電流信号を処理装置７に伝送し、処理装置7がこのエネルギーを出した発光ダイオード結晶粒８２が良好であるか否かを分析判断する。
【００２２】
例えば、６個の結晶粒８２が同期して接触され、前の結晶粒を点灯させ検査し終わったら、次の粒を点灯させ、いかなる位置変換も必要としない。第６個の粒が検査されるまで、第６個の粒を検査位置に移動させるだけであり、切替える電気信号の速度は機械による位置移動速度よりはるかに速い。従って、バッチ移動による発光ダイオード結晶粒８２の検査は、検査能率をはるかに高めることができる。このようにして、支持台においてのすべての、例えば２万個の発光ダイオード結晶粒８２がいずれもその検査判断を終了するまで、輸送装置５によって支持台４と検査を受ける発光ダイオード結晶粒８２を取出し位置に移動させ、次の発光ダイオード結晶粒８２に置き換える。
【００２３】
勿論、このようなバッチ検査方法は上記被検査物に限られておらず、上記結晶粒が発光ダイオード組合せ体にカプセル化されても、依然として本実用新案検査装置の検査に適用される。図６と図７においても、説明の便利を図って図６のソーラーバッテリー６′は１８０°回転させて図示しているが、ソーラーバッテリー６′はシェル６４に設置された複数枚の(本例に置いては３枚)とソーラーパネル６２ａ′、６２ｂ′及び６２ｃ′が含まれ、ともに検査装置３′の支持台４′を包囲するようにそれに対向している。本実施例において、支持台４′は一度に検査を受ける発光ダイオード組合せ体８４′を５個収納できるように設けられており、発光ダイオード体組合せ体８４’は逐一担持シート５４′に担持され、輸送装置５′の輸送ベルト５２′によって順を追って支持台４′に輸送されて検査され、光束の流失を防ぐために、このシェルにソーラーパネルが設置されていない二つの側面には各々反射面６６′が形成されている。
【００２４】
ソーラーバッテリー６′が対向している５個の発光ダイオード組合せ体８４′がエネルギーを受けて順を追って点灯され検査され、ソーラーパネル６２ａ′、６２ｂ′及び６２ｃ′がそれを受け取り且つ光電転換を行い、関連信号が処理装置７′に送られて処理記録された後、この５個の発光ダイオード組合せ体８４′の検査が完成される。即ち、輸送ベルト５２′及び担持シート５４′は検査が終了した発光ダイオード組合せ体８４′を取り出し、引き続き次のバッチの発光ダイオード組合せ体８４′を載置してテストする。且つ、ユーザーのニーズが発光体組合せ体のトータル発光強度量の測定であるとき、ソーラーパネル６２ａ′、６２ｂ′及び６２ｃ′は受光面側に色フイルターを必ずしも設ける必要がない。
【００２５】
目下、液晶モニターパネルによく使われ背部光源とされる光棒は、モニターパネルサイズのいろいろな規格によって、そのサイズも各々異なる。その内、割合長いものは区分点灯に区画される可能性があり、各区画には各々分独立した接点と回路がある。例えば、図８の本実用新案第三実施例で示すように、検査される８６"は８６ａ"、８６ｂ"、８６ｃ"など三つの区画があり、各区画には複数個の発光ダイオード結晶粒８２"が配置されており、且つ、各区画は独立してエネルギーによって点灯される。受光棒の長さの制限については、従来の検査装置では往々にして処理が難しかったが、本案では、ただ光棒が入る方向に沿って複数枚のソーラーパネルを設けてソーラーバッテリーとし、検査装置３"の支持台４"の長さが光棒の長さに適合すれば良い。例えば、上記のように、支持台４"には点灯できる光棒８６"の各区画の導入部４２"を設置し、検査される光棒８６"は輸送装置５"によってソーラーバッテリー6"が対抗する個所の範囲に移送され、導入部４２"は順を追って各区画を点灯し、ソーラーバッテリー６"がまた、信号を処理装置7"に転送して分析する。
【００２６】
以上の三つの実施例はただの応用例であり、実際操作するときは、ソーラーパネルの配置モードを変換応用しても良い。検査装置の応用は融通性が大きい。ソーラーパネル技術がすでに相当成熟しているから、検査装置の設置原価も直接低められ、検査工場の検査能率を高めると同時に検査原価を低めることができる。
【００２７】
上記各実施例の説明によって、本考案は複雑な構造が必要ではなく、管理とメンテナンスが便利であるソーラーパネルについて発光体組合せ体検査を行い、複数個の被検査物をバッチ検査できるし、異なる光源の異なるニーズに適用できるばかりでなく、検査能率を大幅に高め、本案の上記すべての目的を効果的に達成できることがわかる。
【００２８】
上記記述は、本実用新案の比較的好ましい実施例でるが、これによって本実用新案の実施範囲が限定されるものではない。即ち、本実用新案権利請求の範囲及び説明書内容についての簡単な均等な変化と修正は、いずれも本実用新案の範囲内に帰属する。
【符号の説明】
【００２９】
11…積分球                            12…被検査ＬＥＤ
13…遮蔽板                            14…光ファイバー
15…光スペクトルエネルギーアナライザー
A’…入力部                           A”…入力部切断面積
B’…出力部                           B”…出力部切断面積
20…光受取装置                        202~212…ソーラーパネル
21…被検査光棒                        22…輸送装置
222…担持シート                       C…出力部
24…光ファイバー                      25…光スペクトルエネルギーアナライザー
26…処理器                            27…伝送装置
28…欠け区（欠け口）                  29…伝送装置
3、3’、3”…検査装置                 4、4’、4”…支持台
42…探針                              42”…ガイド部
5、5’、5”…輸送装置                 52’…輸送ベルト
54’…担持シート
6、6’、6”…ソーラーバッテリー
62、62a’~62c’…ソーラーパネル      622…作用面
624…色フィルター
64’…シェル                         66’…反射面
7、7’、7”…処理装置
82、82”…発光ダイオード結晶粒
84’…発光ダイオード組合せ体
86”…光棒                           86a”~86c”…区画
【図１】
0003155989.tif 000003
【図２】
0003155989.tif 000004
【図３】
0003155989.tif 000005
【図４】
0003155989.tif 000006
【図５】
0003155989.tif 000007
【図６】
0003155989.tif 000008
【図７】
0003155989.tif 000009
【図８】
0003155989.tif 000010